(57)【要約】【課題】医療用モニターの前面に入り込む光を遮断できるように据え置き台を設計することによって、暗い環境でのみならず、明るい環境でも医療用モニターの画質を校正できるポータブル医療用モニター校正装置を提供する。【解決手段】医療用モニターの前面上部に据え置かれ、前記モニターの前面をカバーする据え置き台と、前記据え置き台に少なくとも５個設置され、前記モニターと対向する面に設置されて前記モニターのカラー値及び輝度値を測定するカラーセンサと、前記モニターと通信ケーブルを介して連結されて有線通信を行う有線通信部と、前記カラーセンサによって測定された前記カラー値及び前記輝度値を用いてカラースペースを計算し、前記の計算されたカラースペースと予め定められた標準値とを比較し、前記の比較結果によって前記モニターの画質校正に必要な命令語及び校正データを前記有線通信部を通して前記モニターと取り交わすコントローラとを含んでポータブル医療用モニター校正装置を構成する。【選択図】図１
2013005870.tif 000002
【特許請求の範囲】
【請求項１】
医療用モニターの前面上部に据え置かれ、前記モニターの前面をカバーする据え置き台と、
前記据え置き台に少なくとも５個設置され、前記モニターと対向する面に設置されて前記モニターのカラー値及び輝度値を測定するカラーセンサと、
前記モニターと通信ケーブルを介して連結されて有線通信を行う有線通信部と、
前記カラーセンサによって測定された前記カラー値及び前記輝度値を用いてカラースペースを計算し、前記の計算されたカラースペースと予め定められた標準値とを比較し、前記の比較結果によって前記モニターの画質校正に必要な命令語及び校正データを前記有線通信部を通して前記モニターと取り交わすコントローラと、を含むポータブル医療用モニター校正装置。
【請求項２】
前記据え置き台は、前記モニターの前面に入り込む光を遮断できるように前記モニターの前面に密着して設計されることを特徴とする、請求項１に記載のポータブル医療用モニター校正装置。
【請求項３】
前記据え置き台は、軽量材質のアクリル又はアルミニウムで形成されることを特徴とする、請求項１に記載のポータブル医療用モニター校正装置。
【請求項４】
前記据え置き台には、前記モニターに入り込む光を遮断できる物質又は材質がコーティングされることを特徴とする、請求項１に記載のポータブル医療用モニター校正装置。
【請求項５】
前記カラーセンサは、前記据え置き台の左側上端領域、左側下端領域、右側上端領域、右側下端領域及び中央領域にそれぞれ一つずつ設置されることを特徴とする、請求項１に記載のポータブル医療用モニター校正装置。
【請求項６】
前記カラーセンサは、室温で前記モニターに電源が印加されてから一定時間経過後に、前記コントローラによって前記少なくとも５個が同時に駆動し、前記モニターのカラー値及び輝度値を測定することを特徴とする、請求項１に記載のポータブル医療用モニター校正装置。
【請求項７】
前記コントローラは、前記の比較の結果、前記カラースペースが前記標準値と一致しない場合、前記校正データのうちカラーパラメータを用いて前記モニターのカラーパラメータを調節し、前記モニターのカラースペースを校正することを特徴とする、請求項１に記載のポータブル医療用モニター校正装置。
【請求項８】
前記コントローラは、前記の比較の結果、前記カラースペースが前記標準値と一致しない場合、前記校正データのうち事前に定義されたカラールックアップテーブルを用いて前記モニターのカラー値を校正することを特徴とする、請求項１に記載のポータブル医療用モニター校正装置。
【請求項９】
データ収集サーバーと無線接続を行い、前記データ収集サーバーに前記校正データを伝送する無線通信部をさらに含み、
前記データ収集サーバーは、前記校正データを収集してデータベース化し、前記の収集された校正データを用いて前記モニターの各セットのカラー偏差及び同一な特性を有するかどうかを分析することを特徴とする、請求項１に記載のポータブル医療用モニター校正装置。
【請求項１０】
前記モニターの画質校正と関連したメニュー、進行状況及び結果をディスプレイするディスプレイ部をさらに含むことを特徴とする、請求項１に記載のポータブル医療用モニター校正装置。
【発明の詳細な説明】
【技術分野】
【０００１】
本発明の各実施例は、医療用モニターの画質を校正するためのポータブル校正装置に関するものである。
【背景技術】
【０００２】
一般に、ＬＣＤのようなディスプレイ装置のモニターは、ＬＥＤとＯＥＬＤなどの様々な形態で光素子を使用して製作されており、その市場性も漸次大きくなりつつある。
【０００３】
そのため、ディスプレイ市場を先占するために、開発企業では画像の大きさを増加させながらも画素を高め、よりきれいでかつ実物のような映像を得るための研究が大いに進められている。特に、原本とほぼ同じ色感を得るための色相校正に対する研究が大いに進められている。
【０００４】
医療用モニターを例に挙げて説明すると、前記医療用モニターは、手術などの進行時に用いられるので、他のモニターに比べてより精密でかつ実物に近い映像又は画像を得る必要がある。
【０００５】
このために、医療用モニターキャリブレーション（Ｃａｌｉｂｒａｔｉｏｎ）を用いて色相校正を行っている。しかし、従来の医療用モニター校正装置は、光が入り込むことを遮断するために暗い環境のみで校正を行うことができ、校正ソフトウェアを実行するためには別途のＰＣやノート・パソコンなどに連結する必要がある。
【発明の概要】
【発明が解決しようとする課題】
【０００６】
本発明の一実施例は、医療用モニターの前面に入り込む光を遮断できるように据え置き台を設計することによって、暗い環境でのみならず、明るい環境でも医療用モニターの画質を校正できるポータブル医療用モニター校正装置を提供する。
【０００７】
本発明の一実施例によると、医療用モニターの画質を校正する機能を行うコントローラとしてミニＰＣ（Ｍｉｎｉ  ＰＣ）を使用することによって、校正ソフトウェアを実行するために別途のＰＣやノート・パソコンなどに連結する必要のないポータブル医療用モニター校正装置を提供する。
【０００８】
本発明の一実施例によると、高性能コントローラを用いてカラーセンサを同時に駆動させることによって、既存の校正方法に比べて校正実行速度がより速く、これによって、校正実行時間を短縮できるポータブル医療用モニター校正装置を提供する。
【０００９】
本発明が解決しようとする課題は、以上言及した各課題に制限されず、言及していない他の課題は、下記の記載から当業者に明確に理解されるだろう。
【課題を解決するための手段】
【００１０】
本発明の一実施例に係るポータブル医療用モニター校正装置は、医療用モニターの前面上部に据え置かれ、前記モニターの前面をカバーする据え置き台と、前記据え置き台に少なくとも５個設置され、前記モニターと対向する面に設置されて前記モニターのカラー値及び輝度値を測定するカラーセンサと、前記モニターと通信ケーブルを介して連結されて有線通信を行う有線通信部と、前記カラーセンサによって測定された前記カラー値及び前記輝度値を用いてカラースペースを計算し、前記の計算されたカラースペースと予め定められた標準値とを比較し、前記の比較結果によって前記モニターの画質校正に必要な命令語及び校正データを前記有線通信部を通して前記モニターと取り交わすコントローラとを含む。
【００１１】
その他実施例の具体的な事項は、詳細な説明及び添付の各図面に含まれている。
【００１２】
本発明の利点及び／又は特徴、及びそれらを達成する方法は、添付の図面と共に後で詳細に説明する各実施例を参照すれば明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を示す。
【発明の効果】
【００１３】
本発明の一実施例によると、医療用モニターの前面に入り込む光を遮断するように据え置き台を設計することによって、暗い環境でのみならず、明るい環境でも医療用モニターの画質を校正することができる。
【００１４】
本発明の一実施例によると、医療用モニターの画質を校正する機能を行うコントローラとしてミニＰＣを使用することによって、校正ソフトウェアを実行するために別途のＰＣやノート・パソコンなどに連結する必要がない。
【００１５】
本発明の一実施例によると、高性能コントローラを用いてカラーセンサを同時に駆動させることによって、既存の校正方法に比べて校正実行速度がより速く、これによって校正実行時間を短縮することができる。
【図面の簡単な説明】
【００１６】
【図１】本発明の一実施例に係るポータブル医療用モニター校正装置の斜視図である。
【図２】本発明の一実施例に係るポータブル医療用モニター校正装置の動作方法を説明するために示したフローチャートである。
【発明を実施するための形態】
【００１７】
以下では、添付の図面を参照して本発明の各実施例を詳細に説明する。
【００１８】
図１は、本発明の一実施例に係るポータブル医療用モニター校正装置の斜視図である。
【００１９】
図１を参照すると、本発明の一実施例に係るポータブル医療用モニター校正装置１００は、据え置き台１１０、カラーセンサ１２０、有線通信部１３０及びコントローラ１４０を含む。
【００２０】
前記据え置き台１１０は、医療用モニター１０５の前面上部に据え置かれ、前記医療用モニター１０５の前面をカバーする。
【００２１】
参考として、本発明の一実施例に係るポータブル医療用モニター校正装置１００は、光が入り込まないダークルームで、前記医療用モニター１０５のカラー値を測定することができる。これは、外部からの光が入り込むことによって前記医療用モニター１０５の校正作業が十分に行われないことを防止するためである。
【００２２】
しかし、本発明の一実施例に係るポータブル医療用モニター校正装置１００は、光が入り込まないダークルームで前記医療用モニター１０５のカラー値を測定しないこともある。
【００２３】
すなわち、本発明の一実施例に係るポータブル医療用モニター校正装置１００は、暗い環境でのみならず、明るい環境でも前記医療用モニター１０５のカラー値を測定することができる。
【００２４】
このために、前記据え置き台１１０は、前記医療用モニター１０５の前面に入り込む光を遮断できるように前記医療用モニター１０５の前面に密着して設計されることが望ましい。また、前記据え置き台１１０には、前記医療用モニター１０５に入り込む光を遮断できる物質又は材質をコーティングすることができる。
【００２５】
前記据え置き台１１０は、前記医療用モニター１０５に据え置かれるので、重さの軽い軽量材質、例えば、アクリル又はアルミニウムなどで形成することができる。
【００２６】
前記カラーセンサ１２０は、前記据え置き台１１０の内側面、すなわち、前記医療用モニター１０５と対向する面に少なくとも５個設置され、前記医療用モニター１０５のカラー値及び輝度値を測定する。
【００２７】
例えば、前記カラーセンサ１２０は、５個設置される場合、前記据え置き台１１０の左側上端領域、左側下端領域、右側上端領域、右側下端領域及び中央領域にそれぞれ一つずつ設置可能である。
【００２８】
したがって、前記カラーセンサ１２０は、前記各領域に対応する、前記医療用モニター１０５のパネル領域のカラー値及び輝度値を測定することができる。
【００２９】
このとき、前記各領域に設置された５個のカラーセンサ１２０は、室温で前記医療用モニター１０５に電源が印加されてから一定時間経過後に、前記コントローラ１４０によって同時に駆動され、前記医療用モニター１０５のカラー値及び輝度値を測定することができる。
【００３０】
前記有線通信部１３０は、前記医療用モニター１０５と通信ケーブルを介して連結されて有線通信を行う。一例として、前記有線通信部１３０は、ＲＳ２３２シリアルポートに具現することができ、前記ＲＳ２３２シリアルポートが前記医療用モニター１０５のＲＳ２３２シリアルポートとＲＳ２３２通信ケーブルを介して連結され、直列通信を行うことができる。
【００３１】
前記有線通信部１３０は、前記医療用モニター１０５の画質校正が必要な場合、前記コントローラ１４０の制御下で前記医療用モニター１０５の画質校正に必要な命令語及び校正データを前記通信ケーブルを介して前記医療用モニター１０５と取り交わすことができる。
【００３２】
前記コントローラ１４０は、前記カラーセンサ１２０によって測定された前記カラー値及び前記輝度値を用いてカラースペースを計算し、前記の計算されたカラースペースと予め定められた標準値とを比較する。
【００３３】
前記コントローラ１４０は、前記の比較結果によって前記医療用モニター１０５の画質校正に必要な命令語及び校正データを、前記有線通信部１３０を通して前記医療用モニター１０５と取り交わす。
【００３４】
すなわち、前記コントローラ１４０は、前記の比較の結果、前記カラースペースが前記標準値と一致しない場合（スペックアウト（ｓｐｅｃ  ｏｕｔ））、前記校正データのうちカラーパラメータを用いて前記医療用モニター１０５のカラーパラメータを調節することができる。
【００３５】
これによって、前記医療用モニター１０５は、前記の調節されたカラーパラメータを用いてカラースペースを校正することができる。前記カラーパラメータの調節は、前記カラースペースが前記標準値と一致するまで繰り返して行うことができる。
【００３６】
また、前記コントローラ１４０は、前記の比較の結果、前記カラースペースが前記標準値と一致しない場合（スペックアウト）、前記校正データのうち事前に定義されたカラールックアップテーブルを用いて前記医療用モニター１０５のカラー値を校正することができる。
【００３７】
このために、前記コントローラ１４０は、前記カラールックアップテーブルを該当のサーバー又はホストコンピュータからダウンロードすることができる。前記ダウンロードは、後述する無線通信部によって行うことができる。
【００３８】
これによって、前記医療用モニター１０５は、前記カラールックアップテーブルを参照して該当のカラー値を校正することによって、前記カラースペースを校正することができる。前記カラー値の校正は、前記カラースペースが前記標準値と一致するまで繰り返して行うことができる。
【００３９】
参考として、前記カラースペースは、３次元色空間であって、ＣＩＥ  ＸＹＺ、すなわち、ＣＩＥ色座標系ともいう。前記カラースペースは、カラー管理システムの基本になるもので、人間が感知できる全てのカラー、すなわち、色モデルで表すことのできる色相の範囲（Ｃｏｌｏｒ  Ｇａｍｕｔ）を意味する。
【００４０】
前記コントローラ１４０は、本発明の一実施例に係るポータブル医療用モニター校正装置１００が携帯用であるという点を考慮し、ミニＰＣやマイクロプロセッサなどに具現することができる。
【００４１】
さらに、本発明の一実施例に係るポータブル医療用モニター校正装置１００は、無線通信部１５０及びディスプレイ部１６０をさらに含むことができる。
【００４２】
前記無線通信部１５０は、前記コントローラ１４０から前記校正データの伝送と関連した制御信号を受け、前記制御信号によってデータ収集サーバー（図示せず）と無線接続を行い、前記データ収集サーバーに前記校正データを伝送する。
【００４３】
ここで、前記無線接続は、ワイファイ（Ｗｉ―Ｆｉ）、 ワイブロ（Ｗｉ―Ｂｒｏ）、ウィーピィ（ＷＩＰＩ）、ワイマックス（Ｗｉ―Ｍａｘ）、ブルートゥース（Ｂｌｕｅｔｏｏｔｈ）、 ジグビー（ＺｉｇＢｅｅ）などを含むことができる。
【００４４】
前記データ収集サーバーは、前記校正データを受け取り、これを収集してデータベース化し、前記の収集された校正データを用いて前記医療用モニター１０５の各セットのカラー偏差及び同一な特性を有するかどうかなどを分析することができる。
【００４５】
前記ディスプレイ部１６０は、前記医療用モニター１０５の画質校正と関連したメニュー、進行状況及び結果をディスプレイする。前記ディスプレイ部１６０は、例えば、前記コントローラ１４０の前面に設置することができる。校正作業者は、前記ディスプレイ部１６０を通してメニューを入力（タッチ）することによって前記医療用モニター１０５の画質校正を行うことができ、校正進行状況及び結果なども確認することができる。
【００４６】
図２は、本発明の一実施例に係るポータブル医療用モニター校正装置の動作方法を説明するために示したフローチャートである。
【００４７】
図２を参照すると、段階（２１０）で、前記ポータブル医療用モニター校正装置は医療用モニターを初期化する。
【００４８】
次に、段階（２２０）で、前記ポータブル医療用モニター校正装置は、前記医療用モニターの画質校正のためのパターンを生成する。
【００４９】
次に、段階（２３０）で、前記ポータブル医療用モニター校正装置は、前記医療用モニターのカラー値と輝度値を測定する。このために、前記ポータブル医療用モニター校正装置はカラーセンサを駆動させる。
【００５０】
前記カラーセンサは、前記医療用モニターの前面上部に据え置かれ、前記医療用モニターの前面をカバーする据え置き台の内側面、すなわち、前記医療用モニターと対向する面に少なくとも５個設置され、前記医療用モニターのカラー値及び輝度値を測定する。
【００５１】
例えば、前記カラーセンサは、５個が設置される場合、前記据え置き台の左側上端領域、左側下端領域、右側上端領域、右側下端領域及び中央領域にそれぞれ一つずつ設置可能である。
【００５２】
したがって、前記カラーセンサは、前記各領域に対応する、前記医療用モニターのパネル領域のカラー値及び輝度値を測定することができる。
【００５３】
このとき、前記各領域に設置された５個のカラーセンサは、室温で前記医療用モニターに電源が印加されてから一定時間経過後に、同時に駆動して前記医療用モニターのカラー値及び輝度値を測定することができる。
【００５４】
次に、段階（２４０）で、前記ポータブル医療用モニター校正装置は、測定された前記カラー値及び前記輝度値を用いてカラースペースを計算し、前記の計算されたカラースペースと予め定められた標準値とを比較する。
【００５５】
次に、前記の比較の結果、スペックアウト（Ｓｐｅｃ  Ｏｕｔ）である場合（２５０の「いいえ」方向）、段階（２６０）で、前記ポータブル医療用モニター校正装置は、カラーパラメータを調節したり、カラールックアップテーブルをダウンロードした後、前記段階（２２０）にリターンする。
【００５６】
すなわち、前記ポータブル医療用モニター校正装置は、前記の比較の結果、前記カラースペースが前記標準値と一致しない場合、校正データのうちカラーパラメータを用いて前記医療用モニターのカラーパラメータを調節することができる。
【００５７】
これによって、前記医療用モニターは、前記の調節されたカラーパラメータを用いてカラースペースを校正することができる。前記カラーパラメータの調節は、前記カラースペースが前記標準値と一致するまで繰り返して行うことができる。
【００５８】
また、前記ポータブル医療用モニター校正装置は、前記の比較の結果、前記カラースペースが前記標準値と一致しない場合、前記校正データのうち事前に定義されたカラールックアップテーブルをダウンロードし、前記医療用モニターのカラー値を校正することができる。
【００５９】
これによって、前記医療用モニターは、前記カラールックアップテーブルを参照して該当のカラー値を校正することによって、前記カラースペースを校正することができる。前記カラー値の校正は、前記カラースペースが前記標準値と一致するまで繰り返して行うことができる。
【００６０】
一方、前記の比較の結果、スペックイン（Ｓｐｅｃ  Ｉｎ）である場合（２５０の「はい」方向）、すなわち、前記カラースペースが前記標準値と一致する場合は、段階（２７０）で、前記ポータブル医療用モニター校正装置は、無線通信部を通して前記校正データをサーバーに伝送して格納する。
【００６１】
一方、前記ポータブル医療用モニター校正装置は、前記医療用モニターの画質校正と関連したメニュー、進行状況及び結果を、ディスプレイ部を通してディスプレイする。これによって、校正作業者は、前記ディスプレイ部を通してメニューを入力（タッチ）することによって前記医療用モニターの画質校正を行うことができ、校正進行状況及び結果なども確認することができる。
【００６２】
このような本発明の一実施例によると、医療用モニターの前面に入り込む光を遮断できるように据え置き台を設計することによって、暗い環境でのみならず、明るい環境でも医療用モニターの画質を校正することができる。
【００６３】
また、本発明の一実施例によると、医療用モニターの画質を校正する機能を行うコントローラとしてミニＰＣを使用することによって、校正ソフトウェアを実行するために別途のＰＣやノート・パソコンなどに連結する必要がない。
【００６４】
また、本発明の一実施例によると、高性能コントローラを用いてカラーセンサを同時に駆動させることによって、既存の校正方法に比べて校正実行速度が速く、これによって校正実行時間を短縮することができる。
【００６５】
本発明の各実施例は、多様なコンピュータで具現される動作を行うためのプログラム命令を含むコンピュータ読取可能な媒体を含む。前記コンピュータ読取可能な媒体は、プログラム命令、ローカルデータファイル、ローカルデータ構造などを単独で又は組み合わせて含むことができる。前記媒体は、本発明のために特別に設計されて構成されたものであるか、コンピュータソフトウェアと関連した当業者に公知で使用可能なものである。コンピュータ読取可能な記録媒体の例には、ハードディスク、プロッピーディスク及び磁気テープのような磁気媒体、ＣＤ―ＲＯＭ、ＤＶＤのような光記録媒体、フロプティカルディスクのような磁気―光媒体、及びＲＯＭ、ＲＡＭ、フラッシュメモリのようなプログラム命令を格納して行うように特別に構成されたハードウェア装置が含まれる。プログラム命令の例には、コンパイラによって作られるような機械語コードのみならず、インタプリタなどを使用してコンピュータによって実行可能な高級言語コードを含む。
【００６６】
以上のように、本発明は、限定された実施例と図面によって説明したが、本発明は、前記実施例に限定されるものではなく、本発明の属する分野で通常の知識を有する者であれば、このような記載から多様な修正及び変形が可能である。したがって、本発明の思想は、下記に記載した特許請求の範囲のみによって把握しなければならなく、この均等又は等価的変形はいずれも本発明の思想の範疇に属するといえる。
【符号の説明】
【００６７】
１１０：据え置き台、１２０：カラーセンサ、１３０：有線通信部、１４０：コントローラ、１５０：無線通信部、１６０：ディスプレイ部
【図１】
2013005870.tif 000003
【図２】
2013005870.tif 000004